(57)【要約】【課題】、利便性のよい放送受信装置１０を提供する。【解決手段】デジタルテレビジョン放送信号を受信する受信部１１と、前記デジタルテレビジョン放送信号を処理する信号処理部１２と、信号処理部１２からのソース信号を録画装置２０に記録させる記録制御部１３と、ソース信号として正常なソース信号を録画装置２０へ出力できないとき受信障害の告知を行い、デジタルテレビジョン放送信号が停波または放送休止の場合に告知を行わない告知制御部１７とを有する放送受信装置１０。【選択図】図２
2013183210.tif 000002
【特許請求の範囲】
【請求項１】
デジタルテレビジョン放送信号を受信する受信部と、
前記デジタルテレビジョン放送信号を処理する信号処理部と、
前記信号処理部からのソース信号を録画装置に記録させる記録制御部と、
前記ソース信号として正常なソース信号を前記録画装置へ出力できないとき受信障害の告知を行い、前記デジタルテレビジョン放送信号が停波または放送休止の場合に前記告知を行わない告知制御部とを有する放送受信装置。
【請求項２】
前記告知制御部は、前記デジタルテレビジョン放送信号からイベント情報テーブルが取得されていない場合、または、前記イベント情報テーブルの番組タイトルに休止が含まれている場合、前記告知を行わない請求項１に記載の放送受信装置。
【請求項３】
前記記録制御部は、前記録画装置に対して番組単位ではなく、時間単位で前記ソース信号を録画するように制御する請求項１または２に記載の放送受信装置。
【請求項４】
前記ソース信号を表示する表示手段を有する請求項１乃至請求項３のいずれか１項に記載の放送受信装置。
【請求項５】
受信部によりデジタルテレビジョン放送信号を受信し、
信号処理部により前記デジタルテレビジョン放送信号を処理し、
記録制御部により前記信号処理部からのソース信号を録画装置に記録させ、
告知制御部により、前記ソース信号として正常なソース信号を前記録画装置へ出力できないとき受信障害の告知を行い、前記デジタルテレビジョン放送信号が停波または放送休止の場合に前記告知を行わない放送受信方法。
【発明の詳細な説明】
【技術分野】
【０００１】
本発明の実施形態は、デジタルテレビジョン放送を受信する放送受信装置および放送受信方法に関する。
【背景技術】
【０００２】
テレビ放送受信装置は、降雨等を原因とする受信障害が発生すると、正常に受信できなくなる。録画予約されていた番組の放送中に受信障害が発生した場合には、少なくとも、受信障害により正常な録画が行われなかったことを告知することが、ユーザーの利便性の観点から好ましい。
【０００３】
近年、指定チャンネルの番組を連続受信し、接続された録画装置に全番組を連続録画する放送受信装置が開発されている。６つのチューナを有する放送受信装置は、６つのチャンネルの例えば３０時間分の全番組を録画装置にループ録画する。ループ録画は、古いデータを消去しながら新しいデータを記録する、いわゆるオーバーライト方式による。ユーザーは、放送終了後３０時間以内であれば、放送済みの番組の中から見たい番組を視聴できる。
【０００４】
しかし、放送局は、設備保守などのために、計画的に深夜などに放送電波（デジタルテレビジョン放送信号）の送信を停止する停波状態になることがある。すると、深夜も連続受信している放送受信装置では、停波であっても受信障害が発生したと見なして、受信障害の告知を行ってしまう。
【０００５】
このため、放送受信装置が受信障害の告知を行うことが、逆にユーザーの利便性を損なうおそれがあった。
【先行技術文献】
【特許文献】
【０００６】
【特許文献１】特開２００３−２５０１１１号公報
【発明の概要】
【発明が解決しようとする課題】
【０００７】
本発明の実施形態は、利便性のよい放送受信装置、および利便性のよい放送受信方法を提供することを目的とする。
【課題を解決するための手段】
【０００８】
本発明の一態様の放送受信装置は、デジタルテレビジョン放送信号を受信する受信部と、前記デジタルテレビジョン放送信号を処理する信号処理部と、前記信号処理部からのソース信号を録画装置に記録させる記録制御部と、前記ソース信号として正常なソース信号を前記録画装置へ出力できないとき受信障害の告知を行い、前記デジタルテレビジョン放送信号が停波または放送休止の場合に前記告知を行わない告知制御部とを有する。
【図面の簡単な説明】
【０００９】
【図１】実施形態のテレビの構成図である。
【図２】実施形態のテレビの処理の流れを説明するためのフローチャートである。
【発明を実施するための形態】
【００１０】
以下、図面を参照しつつ、実施形態の放送受信装置１０について説明する。
【００１１】
図１に示すように、放送受信装置１０は、受信部１１と、信号処理部１２と、記録制御部１３と、録画装置接続部１５と、表示装置接続部１４と、入力信号接続部１６と、告知制御部１７とを具備する。複数のチューナ１１Ａ〜１１Ｄを有する受信部１１は、入力信号接続部１６を介して、例えば、アンテナから入力されるデジタルテレビジョン放送信号を受信する。なお、入力信号接続部１６から、ケーブルまたはインターネット・プロトコル網等のネットワークを介して放送信号が入力されてもよいし、チューナは１台であってもよい。信号処理部１２は、受信部１１からの放送信号を処理する。より正確には、受信部１１は放送信号を１次処理し、信号処理部１２は１次処理された放送信号を２次処理し、音声信号および映像信号等からなるソース信号と、後述する放送情報データとを出力する。
【００１２】
録画装置接続部１５には、ＨＤＤ装置等の録画装置２０が接続され、表示装置接続部１４には、表示手段である表示装置３０およびスピーカー３１が接続される。録画装置接続部１５からは、記録制御部１３の制御により、信号処理部１２からのソース信号が出力される。また、録画装置接続部１５には、録画装置２０に録画されていたソース信号が入力する。表示装置接続部１４からは映像信号が表示装置３０に出力され、音声信号がスピーカー３１に出力される。
【００１３】
そして、後述するように、告知制御部１７は、録画装置接続部１５から正常なソース信号が出力できないとき、受信障害の告知を行う。
【００１４】
なお、放送受信装置１０、録画装置２０、表示装置３０およびスピーカー３１が、同一の筐体内に収納され一体化した放送受信機１も、好ましい実施形態の１つである。
【００１５】
ここで、社団法人電波産業会（ＡＲＩＢ）の標準規格であるＡＲＩＢ ＴＲ−Ｂ１４に規定されているＭＰＥＧ−２システムによるデジタルテレビジョン放送の放送信号について説明する。デジタル放送では、ニュースまたはドラマ等の提供するコンテンツ単位をイベントと称し、複数のイベントが時間方向に連続して編成された単位をサービスと称している。つまり、イベントはアナログ放送の番組に対応し、サービスはアナログ放送のチャンネルに対応する。
【００１６】
放送局から放送される放送信号には、音声および映像等のコンテンツ情報を含むソース信号と、放送を受信するために必要となる放送情報信号が、規定のＴＳ（Ｔｒａｎｓｐｏｒｔ Ｓｔｒｅａｍ）データとして、多重伝送される。ＴＳデータはパケット単位に分割して送信され、パケットの先頭部分には識別子（ＰＩＤ）が付与されている。ＰＩＤは、各パケットが何を伝送しているかを示す。同一の画像等は同じＰＩＤを持つため放送受信装置１０はＰＩＤを用いて分割前に戻すことが可能である。
【００１７】
放送情報は、ＰＳＩ（Ｐｒｏｇｒａｍ Ｓｐｅｃｉｆｉｃ Ｉｎｆｏｒｍａｔｉｏｎ）およびＳＩ（Ｓｅｒｖｉｃｅ  Ｉｎｆｏｒｍａｔｉｏｎ）と称される各種のテーブルに記述されて、ソース信号等とは別のＰＩＤを持つパケットとしてＴＳデータに挿入されている。テーブルとしては、例えば、イベント情報テーブル（ＥＩＴ：Ｅｖｅｎｔ Ｉｎｆｏｒｍａｔｉｏｎ Ｔａｂｌｅ）、ＰＡＴ（Ｐｒｏｇｒａｍ Ａｓｓｏｃｉａｔｉｏｎ Ｔａｂｌｅ）、ＰＭＴ（Ｐｒｏｇｒａｍ  Ｍａｐ  Ｔａｂｌｅ）等がある。
【００１８】
ＥＩＴには、放送予定の番組（イベント）のタイトル、放送開始日時、番組内容など、番組に関する情報が記載されている。ＰＡＴは、番組を構成する信号を伝送するＴＳパケットのＰＩＤを指定する。ＰＡＴは、ＰＭＴを伝送するＴＳパケットのＰＩＤを指定する。
【００１９】
放送受信装置１０は、チャンネル（サービス）の名称および放送事業者の名称などのチャンネルに関する情報を伝送するＳＤＴ（Ｓｅｒｖｉｃｅ Ｄｅｓｃｒｉｐｔｉｏｎ Ｔａｂｌｅ）および、現在の日付、時刻の情報を伝送するＴＯＴ（Ｔｉｍｅ  Ｏｆｆｓｅｔ  Ｔａｂｌｅ）等と、ＥＩＴとを用いて電子番組表（ＥＰＧ：Ｅｌｅｃｔｒｏｎｉｃ Ｐｒｏｇｒａｍ Ｇｕｉｄｅ）を作成する。ユーザーは、通常はＥＰＧをもとに番組を選択することで、簡単に希望の番組の録画予約を行う。
【００２０】
また、ＡＲＩＢ ＴＲ−Ｂ１４の第七編、８−６、には放送休止の扱いについても、規定されている。ここでは、放送信号の状態は、放送中、休止中、無信号（停波）の３種類に分類されている。休止中とは、電波送信は停止していないが、ユーザー視聴できる番組が送信されていない状態である。そして、放送中の場合には、ＰＡＴへの当該サービスの記載があること、休止中の場合には、ＰＡＴへの当該サービスの記載がないことが規定されている。
【００２１】
このため、告知制御部１７は、放送中なのか休止中なのかを、ＰＡＴへの当該サービスの記載の有無により、識別することができる。
【００２２】
なお、慣習として、放送局の事故等による計画外の電波送信停止を停波といい、計画的な電波送信停止も休止という場合もある。言い換えれば、休止が、視聴可能な番組が送信されていない状態と電波送信停止状態とを含めた概念として使用されている。しかし、本明細書では、ＡＲＩＢ ＴＲ−Ｂ１４に沿って、電波送信が停止していない状態を休止といい、電波送信が停止した無信号状態を停波という。
【００２３】
次に、図２のフローチャートを用いて、放送受信装置１０における、受信障害告知の処理の流れについて説明する。なお、以下の１つのサービス（チャンネル）についての説明であるが、複数のサービスの場合も同様である。
＜ステップＳ１０＞
最初に、タイマのカウント時間ｔが０にリセットされる。
【００２４】
＜ステップＳ１１＞
告知制御部１７は、そのサービス（チャンネル）の、その時間帯のＥＩＴが既に取得されているかを、確認する。ＥＩＴが取得されていない場合（Ｓ１１：Ｎｏ）には、告知制御部１７は、計画的な停波と判断する。なお、ＥＩＴが取得されていない時間帯は、ＥＰＧでは空欄になっており、そのチャンネルの番組予約録画はできない状態である。
【００２５】
告知制御部１７は、番組が正常に受信できず録画装置接続部１５から正常なソース信号が出力できなくても、停波の場合（Ｓ１１：Ｎｏ）には、受信障害の告知は行わない。
【００２６】
＜ステップＳ１２＞
ＥＩＴが取得されていた場合（Ｓ１１：Ｙｅｓ）、ＥＩＴに記述されている番組タイトル（ｔｉｔｌｅ  ｖａｌｕｅ）に休止という単語が含まれているか判断される。番組タイトルは放送局が任意の内容を記載することができるが、計画的な停波の場合には、番組タイトルには、放送休止、休止または一部地域は放送休止することがありますと記載されている場合が多い。
【００２７】
この場合、ＥＰＧの、そのチャンネルのその時間帯には、番組タイトルとして、例えば、放送休止と表示されている。そして、ＥＰＧを用いた番組予約録画はできない状態である。
【００２８】
告知制御部１７は、番組が正常に受信できず録画装置接続部１５から正常なソース信号が出力できなくても、停波の場合（Ｓ１２：Ｙｅｓ）には、受信障害の告知は行わない。
【００２９】
なお、番組タイトルが、例えば歌番組：活動休止中の歌手特集の場合には、告知制御部１７は、間違った判断をする。しかし、その番組中に受信障害が発生していても告知を行わないだけである。
【００３０】
＜ステップＳ１３＞
ＰＡＴが受信できたかが判断される。ＰＡＴは重要なＳＩである。受信できていない場合（Ｓ１３：Ｎｏ）には、受信障害が発生していると考えられるため、ステップＳ１４において、受信障害告知が発行される。受信障害告知が発行されると、例えば告知制御部１７のメモリ（不図示）に発行済みタグが設定される。
【００３１】
＜ステップＳ１４＞
受信障害告知が発行されている場合には、例えば、ユーザーが表示装置３０を起動状態にしたときに、画面に、告知文を表示することで行われる。告知文は例えば、以下のような内容である。
【００３２】
録画のお知らせ
以下の理由により、正常に録画されていない場合があります 
・受信障害（アンテナの方向ずれや、雨雪の影響など） 
・チャンネルや番組の未契約 
・Ｂ-ＣＡＳカードの未挿入
【００３３】
ユーザーは、正常に録画されていない原因が、受信障害等であり、放送受信装置１０等には異常がないことを知ることができる。
【００３４】
＜ステップＳ１５＞
既に説明したように、告知制御部１７は、放送中なのか休止なのかを、ＡＲＩＢ ＴＲ−Ｂ１４の規定に基づいて、ＰＡＴへの当該サービスの記載の有無により、識別することができる。
【００３５】
告知制御部１７は、番組が正常に受信できず録画装置接続部１５から正常なソース信号が出力できなくても、休止の場合（Ｓ１５：Ｎｏ）には、受信障害の告知は行わない。
【００３６】
＜ステップＳ１６＞
ＰＡＴにより放送中であることが確認されているにもかかわらず（Ｓ１５：Ｙｅｓ）、ＰＭＴが受信できない場合（Ｓ１６：Ｎｏ）には、受信障害が発生していると考えられる。このため、ステップＳ１４において、受信障害告知が発行される。
【００３７】
＜ステップＳ１７＞
タイマが１秒になると（Ｓ１７：Ｙｅｓ）、再び、Ｓ１０からの処理が行われる。すなわち、Ｓ１１〜Ｓ１６の処理は１秒ごとに行われる。処理間隔ｔは、適宜、定めることができる。ただし、短時間であっても再生映像の乱れが発生すると、ユーザーが故障と誤認することがあるため、処理間隔ｔは、１秒以下に設定されることが好ましい。
【００３８】
なお、受信障害の告知は、長時間にわたって受信障害の状態が続いても、１つのイベント（番組）について１回だけ発行されることが好ましい。例えば、Ｓ１４において最初に告知発行処理が行われると、発行済みタグが設定され、以降は同一イベントにおいては、告知が発行されないようにしてもよいし、または、Ｓ１０〜Ｓ１７の処理は省略されてもよい。
【００３９】
従来の放送受信装置では、受信障害告知発行処理は、Ｓ１３〜Ｓ１６だけが行われていた。このため、計画された停波であっても、ＰＡＴが取得できない場合には、告知が行われた。例えば、毎日、深夜に停波するサービスを連続録画していた場合には、毎朝、ユーザーがスイッチをＯＮにする度に、受信障害告知が行われてしまう。
【００４０】
これに対して、実施形態の放送受信装置１０では、Ｓ１３〜Ｓ１６の前に、Ｓ１１、Ｓ１２の処理が行われるために、停波の場合には、告知発行処理は行われない。このため、放送受信装置１０は、間違った受信障害告知が行われることがないため、利便性が高い。
【００４１】
なお、以上の説明から明らかなように、放送受信機１または放送受信装置１０の、録画装置２０が、番組（イベント）単位ではなく、時間単位でソース信号を録画するように記録制御部１３により制御される場合に、発明の効果は顕著である。すなわち、ＥＰＧ等をもとに番組単位で録画予約される場合には、録画中に停波状態になることはない。これに対して、午前０時〜午前６時のように時間指定で受信／録画する場合には、録画中に停波になる可能性が高いためである。なお。２４時間連続してループ録画する場合も、時間指定での録画と見なすことができる。
【００４２】
なお、以上では、本発明の実施形態として、ＭＰＥＧ−２システムによるデジタルテレビジョン放送を受信する放送受信装置１０について説明した。しかし、他の形式のデジタルテレビジョン放送であっても、ソース信号とともに送信されている放送情報信号をもとに停波または休止の場合には受信障害の告知を行わない放送受信装置が、放送受信装置１０と同様の効果を有することは明らかである。
【００４３】
すなわち、実施形態は、例として提示したものであり、発明の範囲を限定することは意図していない。実施形態は、その他の様々な形態で実施されることが可能であり、発明の要旨を逸脱しない範囲で、種々の省略、置き換え、変更を行うことができる。実施形態は、発明の範囲や要旨に含まれるとともに、特許請求の範囲に記載された発明とその均等の範囲に含まれる。
【符号の説明】
【００４４】
１…放送受信機、１０…放送受信装置、１１…受信部、１２…信号処理部、１３…記録制御部、１４…表示装置接続部、１５…録画装置接続部、１６…入力信号接続部、１７…告知制御部、２０…録画装置、３０…表示装置、３１…スピーカー。
【図１】
2013183210.tif 000003
【図２】
2013183210.tif 000004